(57)【要約】      （修正有）【課題】温灸用炭材の火力や使用時間を調整し易くすると共に、使い勝手に優れ、しかも安全性と機能に優れた温灸用容器を提供する。【解決手段】温灸用容器１は、断熱性と耐熱性とに優れた特殊材料からなり、上部２ａが開口２ｂされた厚肉の円筒形状に形成された筒体２と、該筒体２に連設し、筒体２の下部を閉塞する厚肉の円板状に形成された有底部３と、から構成されている。  該筒体２には、温灸用炭材Ｃの燃焼を促進する空気を導入できる多数の貫通された空気孔２ｃが設けられている。  特殊材料は、断熱性と耐熱性とを高める為に、粉炭（１００ｇ）と和紙（１０ｇ）とを混合して流動状にしたものに、カルボキシ・メチルセルロース・ナトリウム（ＣＭＣ）（５％）を加え、攪拌して良く混ぜ合わせたものであり、成形型に流し込んで成形し、天日乾燥して造型する。【選択図】          図１１
2004181177.tif 000002
【特許請求の範囲】
【請求項１】
断熱性と耐熱性とに優れた特殊材料からなり、
上部が開口された厚肉の筒形状に形成された筒体と、
該筒体に連設して筒体の下部を閉塞する厚肉の板状に形成された有底部と、
から構成されている、
ことを特徴とする温灸用容器。
【請求項２】
筒体には、
温灸用炭材の燃焼を促進する空気を導入できる貫通された細孔である空気孔が設けられている、
ことを特徴とする特許請求の範囲第１項記載の温灸用容器。
【請求項３】
断熱性と耐熱性とに優れた特殊材料は、
粉炭と和紙とを混合して流動状にしたものに、
カルボキシ・メチルセルロース・ナトリウム（ＣＭＣ）を加え、
攪拌して良く混ぜ合わせたものであり、
これを成形型に流し込んで成形し、天日乾燥して造型することによって製品とするものである、
ことを特徴とする特許請求の範囲第１項記載の温灸用容器。
【請求項４】
粉炭と和紙とカルボキシ・メチルセルロース・ナトリウム（ＣＭＣ）との配合割合は、
粉炭８０〜１２０前後に対して和紙５〜１５ｇ前後とし、混合して流動状にしたものに、カルボキシ・メチルセルロース・ナトリウム（ＣＭＣ）を３〜１０％前後を加える、
ことを特徴とする特許請求の範囲第３項記載の温灸用容器。
【請求項５】
筒体の肉厚の略中央に、
断熱用の中空部が断面略細長円形状に形成されている、
ことを特徴とする特許請求の範囲第１項〜第４項の何れかに記載の温灸用容器。
【請求項６】
筒体の外側には、
該筒体２の外側に密接して中肉の円筒形状に形成された断熱性と耐熱性とに優れた材料からなる断熱筒が設けられている、
ことを特徴とする特許請求の範囲第１項〜第５項の何れかに記載の温灸用容器。
【請求項７】
断熱筒は、
断熱性と耐熱性とに優れたグラスファイバ材料からなり、空気孔に連通させて貫通形成された貫通孔が設けられている、
ことを特徴とする特許請求の範囲第６項記載の温灸用容器。
【請求項８】
筒体外側に設けられている断熱筒の外側には、
該断熱筒に密接して中肉の円筒形状に形成された断熱性と耐熱性とに優れた材料からなる外筒が設けられている、
ことを特徴とする特許請求の範囲第１項〜第７項の何れかに記載の温灸用容器。
【請求項９】
外筒は、
断熱性と耐熱性とに優れた発泡スチロール材料からなり、空気孔と貫通孔とに連通させて貫通形成された連通孔が設けられている、
ことを特徴とする特許請求の範囲第８項記載の温灸用容器。
【請求項１０】
外筒の外側と底面及び断熱筒の底面と有底部の底面の全体に密接し、それらを被覆する箔状に形成された断熱性と耐熱性とに優れた材料からなる外皮が設けられている、
ことを特徴とする特許請求の範囲第１項〜第９項の何れかに記載の温灸用容器。
【請求項１１】
外皮は、
断熱性と耐熱性とに優れたアルミニュウム箔その他の金属箔からなり、
空気孔と貫通孔と連通孔に連通させて貫通形成された燃焼孔が設けられている、ことを特徴とする特許請求の範囲第１０項記載の温灸用容器。
【請求項１２】
有底部の上面中央には、
磁性材からなる磁石盤が設けられている、
ことを特徴とする特許請求の範囲第１項〜第１１項の何れかに記載の温灸用容器。
【請求項１３】
磁石盤は、
厚肉板状に形成され、有底部の上面中央に板状に凹設された配設部に配設されている、
ことを特徴とする特許請求の範囲第１２項記載の温灸用容器。
【請求項１４】
磁石盤が設けられている配設部の中央には、
温灸孔が設けられている、
ことを特徴とする特許請求の範囲第１３項記載の温灸用容器。
【請求項１５】
温灸孔は、
配設部より小径に開設され、
磁石盤の底面中央部が露出されている、
ことを特徴とする特許請求の範囲第１４項記載の温灸用容器。
【請求項１６】
筒体の上部には、
蓋が配設されている、
ことを特徴とする特許請求の範囲第１項〜第１５項の何れかに記載の温灸用容器。
【請求項１７】
蓋は、
小孔が多数開設された孔開板からなり、全体が半球形状に形成された蓋体と、
蓋体の下側に設けられた複数の取着脚と、
からなる、
ことを特徴とする特許請求の範囲第１６項記載の温灸用容器。
【請求項１８】
取着脚は、
弾性のあるばね材からなり、
筒体の内径よりも大径に形成され、
弾性により縮径して挿入して筒体の内部に係合させる、
ことを特徴とする特許請求の範囲第１７項記載の温灸用容器。
【発明の詳細な説明】
【０００１】
【発明の属する技術分野】
本発明は、温灸用容器に関し、特に温灸用炭材の火力や使用時間を調整し易くすると共に、使い勝手に優れ、しかも安全性と機能に優れた温灸用容器に関するものである。
【０００２】
【従来の技術】
従来、温灸の材料として使用されていたもぐさの問題点である着火に時間が掛かることや、火力を調整できないことや、使用時間を調整できないことや、煙が出る等を解消する為に、本発明者は火力や使用時間が調整可能であると共に、着火性や無煙性に優れた特定の材料から形成することで、使い勝手に優れた温灸用炭材を提案すると共に、該温灸用炭材を適切に使用するための容器も提案した。
【０００３】
この温灸用容器によれば、温灸用炭材の火力や使用時間を調整し易くすると共に、使い勝手に優れ、しかも患部が過熱するのを阻止して、火傷等により負傷するのを防止することができる等の優れた特徴がある。
【０００４】
本発明者は、さらに優れた機能を備えた温灸用容器をここに発明した。
【０００５】
【発明が解決しようとする課題】
このように本発明の主な目的は、
使い勝手に優れ、しかも安全性が高く、さらに優れた機能を備えた温灸用容器を提供することにある。
【０００６】
【課題を解決するための手段】
このような目的は、本発明によれば、
断熱性と耐熱性とに優れた特殊材料からなり、
上部が開口された厚肉の筒形状に形成された筒体と、
該筒体に連設して筒体の下部を閉塞する厚肉の板状に形成された有底部と、
から構成されている、
ことを特徴とする温灸用容器、
を提供することにより達成される。
【０００７】
【作用】
このように、本発明によれば、
使い勝手に優れ、しかも安全性が高く、さらに優れた機能を備えた温灸用容器を提供することにある。
【０００８】
すなわち、
（１）特定の構成からなる温灸用容器としたので、患部が過熱するのを阻止して、火傷等により負傷するのを防止することができる。
（２）特定の構成からなる温灸用容器としたので、被治療者に合わせた火力に調整することができる。
（３）特定の構成からなる温灸用容器としたので、被治療者に合わせた使用時間に調整することができる。
（４）特定の構成からなる温灸用容器としたので、燃焼性に優れ、安定的に燃焼させることができる。
（５）特定の構成からなる温灸用容器としたので、煙が出るのを可及的に少なくすることができるので、使用する雰囲気に優れたものとすることができる。
（６）特定の構成からなる温灸用容器としたので、熱量の損失を阻止すると共に、燃焼を安定させることができる。
（７）特定の構成からなる温灸用容器としたので、熱伝導性に優れ、熱量の損失を阻止して効率的に熱を伝えると共に、燃焼を安定させることができる。
（８）特定の構成からなる温灸用容器としたので、遠赤外線を発生させることができので、治療効果を優れたものとすることができる。
（９）特定の構成からなる温灸用容器としたので、過熱を阻止することができ、安全性に優れたものとすることができる。
（１０）特定の構成からなる温灸用容器としたので、特別な注意を要する事なく、簡易に使用することができる。
（１１）特定の構成からなる温灸用容器としたので、温灸用炭材が外に零れて意に反した不具合が生じるのを阻止することができ、安全性に優れたものとすることができる。
（１２）本温灸用容器によれば、取扱いが容易であり、簡単確実に温灸をすることができ、誰でも簡単に使用できるから、これらの相乗効果によって、使い勝手に優れた温灸用容器となる。
【０００９】
【発明の実施の形態】
次に、本発明を添付の図面を参照して特定の実施の形態について詳述する。
【００１０】
図１と図２は本発明に基づく温灸用容器の実施の形態の第１例を示している。
【００１１】
本発明の実施の形態の第１例である温灸用容器１は、
断熱性と耐熱性とに優れた特殊材料からなり、
上部２ａが開口２ｂされた厚肉の円筒形状に形成された筒体２と、
該筒体２に連設して筒体２の下部を閉塞する厚肉の円板状に形成された有底部３と、から構成されている。
【００１２】
また、該筒体２には、温灸用炭材Ｃの燃焼を促進する空気を導入できる貫通された空気孔２ｃが一箇所開設されている。
【００１３】
さらに、上記断熱性と耐熱性とに優れた特殊材料は、断熱性と耐熱性とを高める為に、粉炭と和紙とを混合して流動状にしたものに、カルボキシ・メチルセルロース・ナトリウム（ＣＭＣ）を加え、攪拌して良く混ぜ合わせたものであり、これを成形型に流し込んで成形し、天日乾燥して造型することによって製品としたものである。
【００１４】
該断熱性と耐熱性とに優れた特殊材料である粉炭と和紙とカルボキシ・メチルセルロース・ナトリウム（ＣＭＣ）との配合割合は、
粉炭８０〜１２０前後に対して和紙５〜１５ｇ前後とし、混合して流動状にしたものに、カルボキシ・メチルセルロース・ナトリウム（ＣＭＣ）を３〜１０％前後を加えたものが適当である。
【００１５】
尚、該特殊材料の配合割合は、望ましくは、
粉炭略１００ｇに対して和紙略１０ｇとし、混合して流動状にしたものに、カルボキシ・メチルセルロース・ナトリウム（ＣＭＣ）を略５％を加えたものが最適である。
【００１６】
図３は、本発明に基づく温灸用容器の実施の形態の第２例を示している。
【００１７】
本発明の実施の形態の第２例である温灸用容器１は、
上記実施の形態の第１例と異なり、筒体２の肉厚の略中央には、断熱用の中空部２ｄが断面略細長円形状に形成されている。
【００１８】
該中空部２ｄには、空気が包含されているので、筒体２内に配置される温灸用炭材Ｃの燃焼により発生する熱を遮断するので、該筒体２の外壁に伝導される熱を可及的に少なくすることができる。
【００１９】
尚、中空部２ｄには、上記のように空気を包含するものに限ることなく、中空部２ｄ内に断熱性と耐熱性とに優れた断熱材料（例えばシリカ末等）からなる充填材２ｅを充填させることができ、筒体２の外壁に伝導される熱をさらに少なくすることができる。  さらに、有底部３の底面３ａの中央には、略球冠状に凹設形成した凹窪部３ｂを形成することができ、これにより患部Ｂの過熱を阻止することができる。
【００２０】
図４は、本発明に基づく温灸用容器の実施の形態の第３例を示している。
【００２１】
本発明の実施の形態の第３例である温灸用容器１は、
上記実施の形態の第１例と第２例と異なり、筒体２の外側には、該筒体２の外側に密接して中肉の円筒形状に形成された断熱性と耐熱性とに優れた材料からなる断熱筒４が設けられている。
【００２２】
該断熱筒４は、断熱性と耐熱性とに優れたグラスファイバ材料からなり、上記空気孔２ｃに連通させて貫通形成された貫通孔４ａが一箇所開設されている。
【００２３】
図５は、本発明に基づく温灸用容器の実施の形態の第４例を示している。
【００２４】
本発明の実施の形態の第４例である温灸用容器１は、
上記実施の形態の第１例〜第３例と異なり、筒体２の外側に設けられている断熱筒４の外側に密接して中肉の円筒形状に形成された断熱性と耐熱性とに優れた材料からなる外筒５が設けられている。
【００２５】
該外筒５は、断熱性と耐熱性とに優れた発泡スチロール材料からなり、上記空気孔２ｃと貫通孔４ａとに連通させて貫通形成された連通孔５ａが一箇所開設されている。
【００２６】
図６は、本発明に基づく温灸用容器の実施の形態の第５例を示している。
【００２７】
本発明の実施の形態の第５例である温灸用容器１は、
上記実施の形態の第１例〜第４例と異なり、筒体２の最外側に設けられている外筒５の外側と底面５ｂ、及び断熱筒４の底面４ｂと有底部３の底面３ａの全体に密接し、それらを被覆する箔状に形成された断熱性と耐熱性とに優れた材料からなる外皮６が設けられている。
【００２８】
該外皮６は、断熱性と耐熱性とに優れたアルミニュウム箔その他の金属箔からなり、上記空気孔２ｃと貫通孔４ａと連通孔５ａに連通させて貫通形成された燃焼孔６ａが一箇所開設されている。
【００２９】
図７は、本発明に基づく温灸用容器の実施の形態の第６例を示している。
【００３０】
本発明の実施の形態の第６例である温灸用容器１は、
上記実施の形態の第１例〜第５例と異なり、筒体２の有底部３の上面中央には磁性材からなる磁石盤７が設けられている。
【００３１】
該磁石盤７は、厚肉円板状に形成され、有底部３の上面中央に円板状に凹設された配設部３ｃに配設されている。
【００３２】
図８と図９は本発明に基づく温灸用容器の実施の形態の第７例を示している。
【００３３】
本発明の実施の形態の第７例である温灸用容器１は、
上記実施の形態の第６例と異なり、磁石盤７が設けられている配設部３ｃの中央には温灸孔８が設けられている。
【００３４】
該温灸孔８は、配設部３ｃより小径の円板状に開設され、磁石盤７の底面中央部が露出されている。
【００３５】
図１０は、本発明に基づく温灸用容器の実施の形態の第８例を示している。
【００３６】
本発明の実施の形態の第８例である温灸用容器１は、
上記実施の形態の第１例〜第７例と異なり、上部２ａに蓋９が設けられている。
【００３７】
さらに、該蓋９は、小孔１０が多数開設された孔開板からなり全体が半球形状に形成された蓋体１１と、該蓋体１１の下側に設けられた４本の取着脚１２と、からなり、筒体２の上部２ａに配設されるように形成されている。
【００３８】
該取着脚１２は、弾性のあるばね材からなり、筒体２の内径よりも大径に形成され、弾性により縮径して挿入して筒体２の開口２ｂに係合させることにより、筒体２の上部２ａに蓋９を配設する。
【００３９】
この取着脚１２は、上記のように蓋体１１の下端に設けたものに限ることなく、図示は省略するが蓋体１１の下側中央に設け、下端を筒体２の内径よりも大径に形成して、弾性により縮径して挿入して筒体２の開口２ｂに係合させることにより、筒体２の上部２ａに蓋９を配設するようにすることが出来る。
【００４０】
尚、本発明の温灸用容器は、前記の各実施の形態例の温灸用容器１に限られることなく、前記実施例と異なる形状や材料の種々の変形例とすることができる。
【００４１】
例えば、前記各実施の形態例にあっては、温灸用容器１は、セラミックからなるものとしたが、本発明は、これに限られることなく、異なる材料のもの、例えば、陶器や磁器またはこれらの複合材料、もしくはこれらとセラミックや木材や竹材との複合材料、その他の断熱性と耐熱性とに優れた材料から形成することができるのは勿論である。
【００４２】
また、前記各実施の形態例にあっては、温灸用容器１は、中空円筒形状のものとしたが、本発明は、これに限られることなく、異なる形状のもの、例えば、上部が開口された多角筒形状や楕円筒形状や逆台形状や半球形状や皿形状その他の形状とすることができる。
【００４３】
さらに、前記各実施の形態例にあっては、温灸用容器１を構成する断熱筒４や外筒５や外皮６は、グラスファイバ材料や発泡スチレン材料やアルミニュウム箔としたが、本発明は、これに限られることなく、異なる材料のもの、例えば熱硬化性プラスチック材料や発泡ポリウレタンフォーム材料や銅箔その他金属箔や複合材料その他の断熱性と耐熱性とに優れた材料から形成できるのは勿論である。
【００４４】
また、前記各実施の形態例にあっては、蓋９は、半球形状に形成され小孔１０が多数開設された孔開板からなる蓋体１１と、蓋体１１の下側に設けられた４本の取着脚１２とから構成したが、本発明はこれに限られることなく、異なる形状や構成のもの、例えば、平板状の蓋体１１の下側に６本の取着脚１２を垂設したものや、蓋体１１を目の細かい網板から形成できるのは勿論である。
【００４５】
さらに、前記各実施の形態例にあっては、空気孔２ｃ、貫通孔４ａ、連通孔５ａ及び燃焼孔６ａは、夫々一箇所開設形成した構成としたが、本発明はこれに限られることなく、夫々二箇所以上開設形成した構成とできるのは勿論である。
【００４６】
次に、本発明の実施の形態の第１例である温灸用容器１の使用方法について説明する。
【００４７】
すなわち、
（１）本発明の磁器等の断熱性と耐熱性とに優れた材料からなる有底筒状体等の温灸用容器１の内部に温灸用炭材Ｃを配置する。
（２）温灸用容器１の内部に配置した温灸用容器Ｃに火を付ける。
（３）火を付けた状態の温灸用炭材Ｃを内部に配置した温灸用容器１を被治療者の患部Ｂの上に置く。
（４）火を付けた状態の温灸用炭材Ｃの熱が、温灸用容器１を介して間接的に被治療者の患部Ｂに作用する。
【００４８】
この際、火を付けた状態の温灸用炭材Ｃの熱は、温灸用容器１を介して被治療者の患部Ｂに間接的に作用するので、
患部が過熱するのを阻止して、火傷等により負傷するのを防止することができると共に、被治療者に合わせた火力に調整することや、被治療者に合わせた使用時間に調整することで、安全確実かつ安定的にに温灸をすることができる。
（５）温灸用炭材Ｃの熱が温灸用容器１を介して間接的に被治療者の患部Ｂに作用することにより、被治療者の患部Ｂが温灸作用によって、治療される。
【００４９】
尚、本発明の実施の形態の第８例である温灸用容器１にあっては、
上部２ａに蓋９が設けられているので、
（２）温灸用容器１の内部に配置した温灸用容器Ｃに火を付けた後、
（３）容器１の上部に蓋９を配設する。
しかる後、
（４）火を付けた状態の温灸用炭材Ｃを内部に配置した温灸用容器１を被治療者の患部Ｂの上に置く。
ことになる。
【００５０】
この場合には、温灸用炭材Ｃが外に零れて意に反した不具合が生じるのを阻止することができ、安全性に優れたものとすることができるという効果がある。
【００５１】
このようにして、温灸用容器１を使用して、従来困難または不可能であった着火に時間が掛かることや、火力を調整できないことや、使用時間を調整できないことや、煙が出る等の問題点を解消して、火力や使用時間が調整可能であると共に、使い勝手に優れた温灸用容器１により、被治療者の患部Ｂを温灸作用によって治療することができる。
【００５２】
【発明の効果】
このように、本発明によれば、使い勝手に優れ、しかも安全性が高く、さらに優れた機能を備えた温灸用容器とすることができる利点がある。
【００５３】
すなわち、
（１）特定の構成からなる温灸用容器としたので、患部が過熱するのを阻止して、火傷等により負傷するのを防止することができるという効果がある。
（２）特定の構成からなる温灸用容器としたので、被治療者に合わせた火力に調整することができるという効果がある。
（３）特定の構成からなる温灸用容器としたので、被治療者に合わせた使用時間に調整することができるという効果がある。
（４）特定の構成からなる温灸用容器としたので、燃焼性に優れ、安定的に燃焼させることができるという効果がある。
（５）特定の構成からなる温灸用容器としたので、煙が出るのを可及的に少なくすることができるので、使用する雰囲気に優れたものとすることができる効果がある。
（６）特定の構成からなる温灸用容器としたので、熱量の損失を阻止すると共に、燃焼を安定させることができる効果がある。
（７）特定の構成からなる温灸用容器としたので、熱伝導性に優れ、熱量の損失を阻止して効率的に熱を伝えると共に、燃焼を安定させることができるという効果がある。
（８）特定の構成からなる温灸用容器としたので、遠赤外線を発生させることができるので、治療効果を優れたものとすることができるという効果がある。
（９）特定の構成からなる温灸用容器としたので、過熱を阻止することができ、安全性に優れたものとすることができるという効果がある。
（１０）特定の構成からなる温灸用容器としたので、特別な注意を要する事なく、簡易に使用することができるという効果がある。
（１１）特定の構成からなる温灸用容器としたので、温灸用炭材が外に零れて意に反した不具合が生じるのを阻止することができ、安全性に優れたものとすることができるという効果がある。
（１２）本温灸用容器によれば、取扱いが容易であり、簡単確実に温灸をすることができ、誰でも簡単に使用できるから、これらの相乗効果によって、使い勝手に優れた温灸用容器となる大なる効果がある。
【図面の簡単な説明】
【図１】本発明に基づく温灸用容器の実施の形態の第１例を示す正面断面図である。
【図２】同第１例を示す平面図である。
【図３】同第２例を示す正面断面図である。
【図４】同第３例を示す正面断面図である。
【図５】同第４例を示す正面断面図である。
【図６】同第５例を示す正面断面図である。
【図７】同第６例を示す正面断面図である。
【図８】同第７例を示す正面断面図である。
【図９】同第７例を示す底面図である。
【図１０】同第８例を示す正面断面図である。
【図１１】同第１例の使用状態を示す正面断面図である。
【符号の説明】
１      温灸用容器
２      筒体
２ａ    上部
２ｂ    開口
２ｃ    空気孔
２ｄ    中空部
２ｅ    充填材
３      有底部
３ａ    有底部の底面
３ｂ    凹窪部
３ｃ    配設部
４      断熱筒
４ａ    貫通孔
４ｂ    断熱筒の底面
５      外筒
５ａ    連通孔
５ｂ    外筒の底面
６      外皮
６ａ    燃焼孔
７      磁石盤
８      温灸孔
９      蓋
１０    小孔
１１    蓋体
１２    取着脚
Ｂ      患部
Ｃ      温灸用炭材
【図１】
2004181177.tif 000003
【図２】
2004181177.tif 000004
【図３】
2004181177.tif 000005
【図４】
2004181177.tif 000006
【図５】
2004181177.tif 000007
【図６】
2004181177.tif 000008
【図７】
2004181177.tif 000009
【図８】
2004181177.tif 000010
【図９】
2004181177.tif 000011
【図１０】
2004181177.tif 000012
【図１１】
2004181177.tif 000013